(57)【要約】【課題】下面開放型の反射笠を有する照明器具を被包できるとともに、被包された照明器具に対する位置決め性能及び緩衝性能に優れた包装体を提供する。【解決手段】照明器具本体11と下面開放型の反射笠21とを包装した包装材３を、第１〜第５の包装部31〜35で形成する。本体11の閉鎖壁14を覆う包装部31の長手方向の両端部に設けた四角筒状をなす包装部32で、本体11の端壁13を支持する。包装部32から折曲げた包装部33と包装部31とで本体11の長手方向の端部を上下に挟む。包装部31から折曲げた包装部34で、本体11の長手方向の端部を前後方向に挟む。包装部34を、包装部33から包装部31側に曲がった斜状の辺34ａ、及び本体11の側壁12外面に添設した辺34ｃを有した角筒状とする。反射笠21を包装部31で長手方向に挟まれる状態に配置して、笠の長手方向の端部を包装部34と辺34ａとに亘って重ねて、包装部33,35で挟持する。【選択図】      図２
2006044773.tif 000002
【特許請求の範囲】
【請求項１】
両側壁、両端壁、及びこれらの壁が作る矩形枠の上面を閉じる閉鎖壁を有して下面が開口された箱型をなす照明器具本体と、前記開口を閉じる反射天板部及びこの反射天板部の両側に夫々斜状に連続した一対の反射側板部を有する下面開放型の反射笠とを備えた照明器具と；
厚紙を折り曲げて形成され前記照明器具を包装する包装材と；
を具備した包装体であって、
前記包装材が、
前記閉鎖壁を覆った第１包装部と；
この第１包装部の長手方向の端部に夫々設けられ前記照明器具本体の端壁を覆った四角筒状をなす第２包装部と；
前記照明器具本体の長手方向の端部を夫々前記第１包装部との間に挟んだ第３包装部と；
この第３包装部から前記第１包装部側に曲がった斜状の辺及び前記照明器具本体の側壁外面に添設された第３の辺を有して角筒状をなした第４包装部と；
前記第３包装部に前記反射天板部の長手方向の端部を重ねるとともに前記斜状の辺に前記反射側板部の端部を重ねて前記第２包装部で長手方向に挟まれる状態に配置された前記反射笠を、前記第２、第４の包装部とともに覆って前記第３包装部との間に前記反射天板部の長手方向の端部を挟んだ第５包装部とを備えることを特徴とする包装体。
【発明の詳細な説明】
【技術分野】
【０００１】
本発明は、反射笠を有した照明器具とこれを被包した一枚の包装材との結合体からなる包装体に関する。
【背景技術】
【０００２】
照明器具の商取引では、照明器具のみが取引されることはなく、照明器具の保管及び輸送の利便性及び輸送時の保護等を図るために、照明器具を段ボール等の包装材で被包してなる包装体として商取引されるのが通例である。
【０００３】
この種の包装体として、１枚の板紙からなる包装材で直方体状の収納函を組立て、その内部に使い捨て注射器や細長い棒状物等の被包物を収納するものが知られている（例えば特許文献１参照。）。
【０００４】
この特許文献１に記載の収納函は、底板から直角に折れ曲がった側板、この側板の上縁から直角に折れ曲がって底板に平行となる天井板、この天井板から直角に折れ曲がって側板に平行となる中仕切板、及び側板の側縁から折れ曲がった袖フラップからなる箱状の区画を、底板の長手方向の両端に夫々設けている。夫々の区画にはその天井板から中仕切板に亘る切欠き状の孔が設けられている。更に、底板に沿う内底板が中仕切板から折り曲げられ、この内底板の一側縁に緩衝フラップが折り曲げられている。
【０００５】
注射器などの被包物はその両端部を左右の区画の孔に嵌合させて収納函内に収納され、この状態で緩衝フラップは被包物の一端部側と他端部側とを互いに異なる方向から支持している。更に、底板の一側縁から折り曲げられて両方の区画に亘っている前内板に、底板の他側縁から折り曲げられた後側縁、及びこれに連続した蓋板、更に蓋板に連続した前外側板を順次折り曲げて、前外側板を前内板に重ねて接着することで、収納函が組立てられている。
【特許文献１】特開2003−40253号公報（段落0011、0016−0024、図１−図７）
【発明の開示】
【発明が解決しようとする課題】
【０００６】
特許文献１の技術は単一の被包物を包装できるに過ぎず、使用時に組立てられる二部材を、分かれた状態で同梱する構成ではない。このように同じ包装箱内に二部材が同梱される被包物としては、下面開放型の反射笠を有した照明器具がある。この器具は、下面が開口された器具本体と、この本体の下面開口を閉じて器具本体に取付けられる下面開放型の反射笠とを、前記二部材として包装されるが、この照明器具を包装するには前記特許文献１の技術は適していない。特に、下面開放型の反射笠はその両側部に斜状の反射側板部を有していて、この板部の変形を防ぐ必要があり、この点の配慮がない前記特許文献１の技術は、なお更照明器具を被包するには適していない。
【０００７】
更に、特許文献１の技術では、注射器などの被包物の長手方向両端部を幅方向に支持する左右の区画の孔は、天井板と中仕切板とに亘って設けられているので、左右の区画において被包物の長手方向両端部を上方向には支持することができない。その上、注射器などの被包物の長手方向両端部は、底板から折り曲げられた一枚の側板で支持されるだけであるので、長手方向に対する緩衝効果が低い。これとともに、注射器などの被包物の長手方向中間部は、内底板から折り曲げた緩衝フラップで被包体の一端部側と他端部側とを互いに異なる方向から支持されているだけであるので、幅方向についての緩衝効果も低い。
【０００８】
このため、特許文献１の技術は、注射器などのように包装対象が小さければさほど支承を生じないが、荷姿が大きくかつ重量もある既述の照明器具を包装する場合に、その保管及び輸送時の保護性能を期待することはできない。
【０００９】
本発明の目的は、下面開放型の反射笠を有する照明器具を被包できるとともに、被包された照明器具に対する位置決め性能及び緩衝性能に優れた包装体を提供することにある。
【課題を解決するための手段】
【００１０】
前記課題を解決するために、本発明は、両側壁、両端壁、及びこれらの壁が作る矩形枠の上面を閉じる閉鎖壁を有して下面が開口された箱型をなす照明器具本体と；前記開口を閉じる反射天板部及びこの反射天板部の両側に夫々斜状に連続した一対の反射側板部を有する下面開放型の反射笠とを備えた照明器具と；厚紙を折り曲げて形成され前記照明器具を包装する包装材と；を具備した包装体であって、
前記包装材が、前記閉鎖壁を覆った第１包装部と；この第１包装部の長手方向の両端部に設けられ前記照明器具本体の端壁を覆った四角筒状をなす第２包装部と；前記照明器具本体の長手方向の端部を夫々前記第１包装部との間に挟んだ第３包装部と；この第３包装部から前記第１包装部側に曲がった斜状の辺、及び前記照明器具本体の側壁外面に添設された辺を有して角筒状をなした第４包装部と；前記第３包装部に前記反射天板部の長手方向の端部を重ねるとともに前記斜状の辺に前記反射側板部の端部を重ねて前記第２包装部で長手方向に挟まれる状態に配置された前記反射笠を、前記第２、第４の包装部とともに覆って前記第３包装部との間に前記反射天板部の長手方向の端部を挟んだ第５包装部とを備えることを特徴としている。
【００１１】
本発明において、包装材とは厚紙好適には段ボール等の包装素材により形成されて下面開放型の反射笠を有する照明器具を包装するものを指している。又、包装体とは、下面開放型の反射笠を有する照明器具と、これを被包した包装材とを備えて形成され、商取引される物品を指している。更に、包装材による照明器具の被包状態を保持する手段には、例えば結合手段を用いることができ、この結合手段としては、接着テープ、接着剤を用いた糊付け、ステッチ止め、或いはこれらを併用することなどを挙げることができる。更に、包装材による照明器具の被包状態を保持する手段として、前記結合手段に代えて、例えば包装材と一体に形成された凸部とこれを受ける凹部と設けて、これらを互いに引っ掛けて凹凸嵌合させる構成を採用することもできる。又、照明器具本体の両側壁は、互いに平行な壁であっても、或いは互いに平行な壁部位と、閉鎖壁の幅を縮めるように前記壁部位から斜状に曲がった壁部位とで形成されていてもよい。又、第４包装部が角筒状であるとは、代表的には三角筒状を挙げることができるが、照明器具本体の両側壁に応じて異ならせることができる。又、第５包装部は、第１包装部の少なくとも一方の側縁から折り曲げて設けられるが、包装材の材料取りを良くするため等の観点からは第１包装部の両側縁から夫々折り曲げて設けることが好ましい。
【００１２】
本発明では、第２包装部で照明器具本体を長手方向（左右方向）に挟んで支持するとともに、第３包装部及び第５包装部と第１包装部とで照明器具本体を上下方向に挟んで支持し、かつ、第４包装部で照明器具本体を幅方向（前後方向）に挟んで支持する。更に、反射笠の反射天板部の長手方向の端部を第３支持部と第５包装部とで上下方向に挟んで支持するとともに、第４包装部を利用してこの第４包装部の斜状の辺に反射笠の反射側板部の長手方向両端部を夫々沿わせて支持する。このため、下面開放型反射笠付き照明器具の照明器具本体と反射笠との二部材を、包装材で被包した包装体を構成できる。
【００１３】
更に、四角筒状の第２包装部で照明器具本体の端壁を支持するので、照明器具本体の長手方向（左右方向）に対する緩衝効果が高いととともに、角筒状の第４包装部で照明器具本体を幅方向（前後方向）に挟んでこの本体の側壁を支持するので、照明器具本体の幅方向に対する緩衝効果が高い。しかも、照明器具本体が既述のように上下、左右、及び前後の各方向にいずれも挟まれて被包されているだけではなく、反射笠もその長手方向の端面を第２包装部に当てるとともに、上下方向には第３、第５の包装部間に挟まれ、かつ、斜状の反射天板部を第４包装部の斜めの斜状の辺に接触させて被包されている。これにより、照明器具本体と反射笠と夫々を適正位置に位置決めできる。
【発明の効果】
【００１４】
本発明によれば、下面開放型反射笠付き照明器具の照明器具本体と反射笠とを、包装材で被包できるとともに、被包された照明器具の照明器具本体と反射笠との夫々を、上下、左右、前後の各方向に位置規制できるとともに、左右及び前後の各方向には筒状部で衝撃を緩衝できるので、位置決め性能及び緩衝性能に優れた包装体を提供できる。
【発明を実施するための最良の形態】
【００１５】
図１〜図１６を参照して本発明の一実施形態を説明する。
【００１６】
図１〜図４中符号１で示す包装体は、被包体としての照明器具２（図１５及び図１６参照）と、一枚の包装材３と、この包装材３を組立て状態に保持する結合手段として例示した粘着テープ４とを具備している。
【００１７】
図１５及び図１６に示すように照明器具２は、照明器具本体１１、及び下面開放型の反射笠２１等を備えている。
【００１８】
図２及び図４等に示すように照明器具本体１１は、前後の両側壁１２、左右の両端壁１３、及びこれらの壁１２，１３が作る矩形枠の上面を閉じる閉鎖壁１４を有して、前記矩形枠の下面が開口された箱型をなしている。この照明器具本体１１は、例えば板金製であって、その天井板となる閉鎖壁１４を室内の天井に沿わせた状態で図示しないねじなどを介して天井に直付けされる。側壁１２は例えば閉鎖壁１４の幅を矩形枠の下面開口幅より狭めるように斜状に曲がった壁部位１２ａを有している。
【００１９】
照明器具本体１１の長手方向長端部には夫々ソケット取付け部１５が設けられている。これらのソケット取付け部１５は、図２及び図１０で代表するように端壁１３が有した水平状の曲げ縁１３ａに設けた切欠きにより形成されている。これらのソケット取付け部１５には、例えば片口金型の蛍光ランプを支持するのに適するランプソケット１６（図１５及び図１６参照）が夫々取付けられている。ランプソケット１６の取付け位置は、照明器具本体１１の幅方向（前後方向）に関して互いにずれている。
【００２０】
金属等からなる反射笠２１は、図１５及び図１６に示すように反射天板部２２と、この反射天板部２２の両側に夫々斜状に連続した一対の反射側板部２３とを有している。一対の反射側板部２３はハの字状に設けられている。反射笠２１は、化粧ねじ等からなる複数の取付け具２４（図１６に一つのみ図示）を、照明器具本体１１に設けた図示しない受け部に螺挿すること等によって照明器具本体１１の下面に取付けられている。この取付け状態で反射天板部２２が照明器具本体１１の下面開口を閉じている。
【００２１】
反射笠２１の長手方向両端部の夫々には、図２等に示すように通孔２５が開けられている。これらの通孔２５を通ったランプソケット１６の夫には、片口金型の蛍光ランプ２６が取外し可能に支持されている。これら蛍光ランプ２６のランプソケット１６に支持された端部とは反対側の端部は、反射笠２１の反射天板部２２に取付けられたランプホルダ２７により支持されている。
【００２２】
包装材３は、一枚の厚紙例えば優れた緩衝機能がある段ボールで形成されている。段ボールには両面段ボールを好適に使用できる。なお、図５中符号Ｗで示した部分は段ボールの段頂が延びる方向を示している。図２〜図５に示すように包装材３は、第１包装部３１、一対の第２包装部３２、一対の第３包装部３３、二対の第４包装部３４、及び一対の第５包装部３５を有している。
【００２３】
第１包装部３３は照明器具本体１１より長い長四角な平板をなしている。この第１包装部３３の長手方向両端部に第２包装部３２が夫々連続して設けられている。第２包装部３２は、外板３２ａと、一対の端板３２ｂと、一対の内板３２ｃと、一対の支え板３２ｄと、一対の突片３２ｅとを有している。端板３２ｂと、内板３２ｃと、支え板３２ｄとは、外板３２ａを基準として第１包装部３３の幅方向（前後方向；但し、図５では左右方向）に沿って並んでいる。
【００２４】
図５に示すように外板３２ａは折り目線３６を介して第１包装部３３の端縁に連続されている。外板３２ａには、この外板３２ａを間に置いて折り目線３７を介して端板３２ｂが連続されている。夫々の端板３２ｂには折り目線３８を介して内板３２ｃが夫々連続されていて、これらの内板３２ｃの夫々には折り目線３９を介して支え板３２ｄが連続されている。支え板３２ｄは、好ましい例としてＬ字状に曲がることができるように折り目線４０を有しているが、折り目線４０から先の部位を省略して端板３２ｂと同じ幅とすることもできる。突片３２ｅは内板３２ｃの夫々に折り目線４１を介して連続されている。これらの突片３２ｅは省略しても良い。
【００２５】
なお、図５等に示すように夫々の内板３２ｃには切込みと折り目線３９とで囲まれた係止部３２ｆ、３２ｇとが個別に設けられている。一方の係止部３２ｆは、折り目線３９を中心として起こすことができるとともに、他方の係止部３２ｇを押し込むことによって形成された孔に押し込み可能である。これらの係止部３２ｆ、３２ｇは省略可能である。
【００２６】
第３包装部３２は、第２包装部３２の外板３２ａに折り目線４３を介して連続されている。この第３包装部３２は、第２包装部３２側のカバー部３３ａと、このカバー部３３ａに連続した押え部３３ｂとを有している。第１包装部３１の前後方向に沿うカバー部３３ａの長さは、同方向に沿う押え部３３ｂの長さより長く、これらの間には接近した折り目線４４，４５が設けられている。
【００２７】
第４包装部３４は、第１の辺３４ａ、第２の辺３４ｂ、第３の辺３４ｃ、及び保持片３４ｄを有している。各辺３４ａ〜３３ｃ及び保持片３４ｄは、第３包装部３２の押え部３３ｂを基準として第１包装部３３の幅方向（前後方向；但し、図５では左右方向）に沿って並んでいる。第１の辺３４ａは押え部３３ｂの折り目線４６を介して連続され、第２の辺３４ｂは折り目線４７を介して第１の辺３４ａに連続されている。同様に、第３の辺３４ｃは折り目線４８を介して第２の辺３４ｂに連続され、保持片３４ｄは折り目線４９を介して第３の辺３４ｃに連続されている。第１の辺３４ａとは第２包装部３２側のカバー部３３ａとの間には切込み５０が設けられている。第１の辺３４ａにはその側縁に開放する係止溝３４ｅが夫々形成されているとともに、切起こされて係止溝３４ｅに係合する係止突片３４ｆが保持片３４ｄに設けられている。
【００２８】
第５包装部３５は、第１包装部３１の両側縁に折り目線５１を介して夫々連続されている。この第５包装部３５の長手方向両端は切込みによって第２包装部３２とは非連続になっている。第５包装部３５は折り目線５１と平行な他の折り目線５２を有し、この折り目線５２を境に側壁部位３５ａと上壁部位３５ｂとに領域を分けている。側壁部位３５ａは上壁部位３５ｂより第１包装部３１に近い側に位置している。更に、一方の第５包装部３５の上壁部位３５ｂは他方の第５包装部３５の上壁部位３５ｂより少し前後方向に長く形成されていて、これらの上壁部位３５ｂが重なり合うことができるようになっている。なお、図５中符号３５ｃは重なり縁部を示し、更に符号５３は重なりよう容易にするための折り目線を示している。
【００２９】
次に、照明器具本体１１と反射笠２１とを前記包装材３で包装して包装体１とする組立て手順を図６〜図１４を参照して説明する。
【００３０】
図６は包装材３の一端部が展開された状態を示している。まず、この状態から図７の状態を経て図８に示すように四角筒状の第２包装部３２を、第１包装部３１の端部に直角に起立させて組立てる。この組立ては、はじめに図７に示すように端板３２ｂ及び支え板３２ｄの折り目線３９，４０間の部位をスペーサとして、外板３２ａ上に内板３２ｃが対向するように端板３２ｂ，内板３２ｃ、支え板３２ｄを、折り目線３７〜３９を境に順次巻き込むように折り曲げて実施する。この場合、支え板３２ｄは折り目線４０でＬ形に曲げられ、その先端部を外板３２ａに沿わせる。こうした折り曲げによって図８で代表するように第２包装部３２が第１包装部３１の長手方向両端部に形成される。
【００３１】
この四角筒状の第２包装部３２は、その長手方向中央部で２枚の支え板３２ｄを互いに接した状態に形成され、この筒状の形態は、一方の係止部３２ｆを起こしてから、更に他方の係止部３２ｇに押し込んで係合させることにより維持される。なお、係止部３２ｆ、３２ｇに代えて、隣接した内板３２ｃに亘って接着テープを貼り付けても良く、或いは互いに接し合った支え板３２ｄ同士を糊付けしてもよく、更には支え板３２ｄ同士をステッチで連結しても良い。又、組立てられた第２包装部３２に対して、図８に示すように折り目線４１を境に突片３２ｅが内板３２ｃから直角にかつ上方に突出されるように折り曲げられる。
【００３２】
前記構成の第２包装部３２では、その長手方向中央部が互いに接し合った２枚の支え板３２ｄで補強された状態にある。加えて、支え板３２ｄの先端部が折れ曲がって外板３２ａに接しているので、支持面積も大きく確保されている。このため、第２包装部３２の厚み方向（第１包装部３１の長手方向）についての緩衝効果が大きい。
【００３３】
次に、図９に示すように第３包装部３３の押え部３３ｂの長手方向（第１包装部３１の幅方向、言い換えれば、第１包装部３１の前後方向）両端部に角筒状の第４包装部３４を夫々組立てる。この組立ては、第１〜第３の辺３４ａ〜３４ｃと保持片３４ｄとを、折り目線４６〜４９を境に順次巻き込むように折り曲げて実施する。これにより、保持片３４ｄが第１の辺３４ａの裏面に接して、三角筒状の第４包装部３４が形成される。この筒状の形態は、係止突片３４ｆを起こしてから、係止溝３４ｅに押し込んで係合させることにより維持される（図１０〜図１３参照）。なお、係止部３４ｆ、３４ｅに代えて、互いに接した第１の辺３４ａと保持片３４ｄとを、これらに亘って接着テープを貼り付けても良く、或いは糊付けしてもよく、更にはステッチで連結しても良い。
【００３４】
この後に、以上のように組立てられた第２〜第４の包装部３２〜３４を、図１０に示すように折り目線３６を境に第１包装部３１の端部に対して直角に起立するように折り曲げる。この状態では、第２包装部３２をなす段ボール部分の段頂が延びる方向が、第１包装部３１に対する第２包装部３２の起立方向となっているので、この第２包装部３２の高さ方向（上下方向）の座屈強度が大きい。又、突片３２ｅは第１包装部３１ａと平行となる。
【００３５】
こうした状態で、図１１に示すように第１包装部３１上に照明器具本体１１載せて、その端壁１３を第２包装部３２の内板３２ｃに当接支持させるとともに、端壁１３の曲げ縁１３ａ上に突片３２ｅを被せる。
【００３６】
次に、図１２に示すように折り目線４３を境に第３包装部３３を第１包装部３１と平行になるように折り曲げる。これにより、第３包装部３３の根元をなすカバー部３３ａが第２包装部３２の上端開口を閉鎖して配置されるとともに、第３包装部３３の押え部３３ｂが突片３２ｅ上に重なって、照明器具本体１１の長手方向の端部上面に被さる。この場合、折り目線４５，４６での曲げにより、カバー部３３ａよりも若干低い位置に押え部３３ｂが配置される。
【００３７】
こうして照明器具本体１１の長手方向の端部を第１包装部３１と第３包装部３３の押え部３３ｂとで、照明器具本体１１の厚み方向（上下方向）に挟むため、これらの板厚に基づく緩衝効果を照明器具本体１１の上下方向について得ることができる。
【００３８】
この後、既に三角筒状に組立てられた第４包装部３４を、折り目線４７を境に照明器具本体１１の長手方向の端部外側面に沿うように折り込む。この折込みが完了された状態を図１３に示す、この状態では、図４に示すように、第１の辺３４ａが、第３包装部３４の押え部３３ｂと第１包装部３１とに亘り斜状に配置され、この第１の辺３４ａに連続した第２の辺３４ｂが第１包装部３１に添設され、この第２の辺３４ｂに連続した第３の辺３４ｃが照明器具本体１１の長手方向の端部において側壁１２の外面に添設される。こうして照明器具本体１１の長手方向の端部が幅方向（前後方向）から三角筒状の第４包装部３４で挟まれるため、これらの第４包装部３４で照明器具本体１１の前後方向についての大きな緩衝効果を得ることができる。
【００３９】
次に、図１４に示すように照明器具２の反射笠２１を、照明器具本体１１上に被せる。この場合、反射笠２１の長手方向の端部は第３包装部３３の押え部３３ｂとこの前後に連続した第４包装部３４の斜状をなした第１の辺３４ａとに亘って被される。つまり、反射笠２１の反射天板部２２の端部が押え部３３ｂ上面に被され、反射笠２１の斜めの反射側板部２３の端部が第１包装部３１側に斜状に曲がった第１の辺３４ａの上面に被される。特に、第１の辺３４ａで反射側板部２３の端部を支持したことによって、反射笠２１を前後方向に位置決めして、次の組み立てで形成される側壁部位３５ａへの反射側板部２３の接触を防止できる。又、以上のように支持された反射笠２１の端面は、折り目線４４，４５により作られた段差Ｄ（図３、図１２、及び図１３参照）に主として位置決めされるとともに、図１３に示した第４包装部３４を側壁１２に沿わす曲げによって露出した内板３２ｃでも位置決めされる。この位置決め状態で反射天板部２２とカバー部３３ａとは面一に連なる。なお、前記折り目線４４，４５による段差Ｄを省略する場合には、反射笠２１の反射天板部２２との反射側板部２３と境の端面を既述のように露出した内板３２ｃに当てて、反射笠２１を長手方向（左右方向）に位置決めできる。
【００４０】
この後、折り目線５１，５２を境に順次巻き込むように第５包装部３５を折り曲げる。これにより、第５包装部３５の側壁部位３５ａが第１包装部３１に対して直角でかつ上向きに折り曲げられるとともに、第５包装部３５の上壁部位３５ｂが側壁部位３５ａに対して直角に折り曲げられて、反射笠２１を、第２、第４の包装部３２，３３とともに覆って第３包装部３３の長手方向の端部との間に反射天板部２２の長手方向の端部を挟んだ状態になる。この状態で、前後の上壁部位３５ｂ同士は重なり縁部３５ｃで重なり、この重なり部を覆って粘着テープ４を貼り付けることによって、図１、図３、及び図４に示す包装体１が組立てられる。
【００４１】
この組立てによって、側壁部位３５ａの長手方向の端部が夫々第２包装部３２の前後の面に接して配置される。これとともに、側壁部位３５ａと第１包装部３１とが作る角部内面に、第１、第２の辺３４ａ、３４ｂが作る角部外面が当たって、第３の辺３４ｃが側壁１２に密接するように第４包装部３４が若干押し込まれる。以上のように組立てられた包装体１の端部の構成を図３及び図４に示す。
【００４２】
この包装体１では、既述のように第２包装部３２で照明器具本体１１を長手方向（左右方向）に挟んで支持するとともに、第３包装部３３及び第５包装部３５と第１包装部３１とで照明器具本体１１を上下方向に挟んで支持し、かつ、第４包装部３４で照明器具本体１１を幅方向（前後方向）に挟んで支持している。更に、反射笠２１の反射天板部２２の長手方向の端部を第３包装部３３と第５包装部３５とで上下方向に挟んで支持するとともに、第４包装部３４を利用してこの第４包装部３４の斜状をなした第１の辺３４ａに反射笠２１の反射天板部２２の長手方向両端部を夫々沿わせて支持している。このため、下面開放型反射笠付き照明器具２の照明器具本体１１と反射笠２１との二部材を、一枚の包装材３で包装した包装体１を構成できる。
【００４３】
更に、四角筒状の第２包装部３２で照明器具本体１１の端壁１３を支持するので、照明器具本体１１の長手方向（左右方向）に対する緩衝効果が高い。これととともに、三角筒状の第４包装部３４で照明器具本体１１の側壁１２を支持したので、照明器具本体１１の幅方向（前後方向）に対する緩衝効果が高い。
【００４４】
しかも、照明器具本体１１が既述のように上下、左右、及び前後の各方向にいずれも挟まれて被包されているだけではなく、反射笠２１もその長手方向の端面を第２包装部３２等に当てるとともに、上下方向には第３、第５包装部３３，３５間に挟まれ、かつ、斜状の反射天板部２２を第４包装部３４の斜めの第１の辺３４ａに接触させて被包している。これにより、照明器具本体１１と反射笠２１と夫々を適正位置に位置決めできる。
【００４５】
したがって、下面開放型の反射笠２１を有する照明器具２を一枚の包装材３で被包できるとともに、被包された照明器具２に対する位置決め性能及び緩衝性能に優れた包装体１を提供できる。
【図面の簡単な説明】
【００４６】
【図１】本発明の一実施形態に係る包装体を示す斜視図。
【図２】図１の包装体を分解して示す斜視図。
【図３】図１中Ｆ３−Ｆ３線に沿って示す包装体の断面図。
【図４】図３中Ｙ−Ｙ線に沿って示す包装体の断面図。
【図５】図１中の包装体が備える包装材の展開図。
【図６】図５の包装材による包装手順の第１段階を示す斜視図。
【図７】図５の包装材による包装手順の第２段階を示す斜視図。
【図８】図５の包装材による包装手順の第３段階を示す斜視図。
【図９】図５の包装材による包装手順の第４段階を示す斜視図。
【図１０】図５の包装材による包装手順の第５段階を示す斜視図。
【図１１】図５の包装材による包装手順の第６段階を示す斜視図。
【図１２】図５の包装材による包装手順の第７段階を示す斜視図。
【図１３】図５の包装材による包装手順の第８段階を示す斜視図。
【図１４】図５の包装材による包装手順の第９段階を示す斜視図。
【図１５】本発明の一実施形態に係る包装体の被包物の一例である照明器具を示す斜視図。
【図１６】図１５の照明器具を示す端面図。
【符号の説明】
【００４７】
１…包装体、２…照明器具、３…包装材、４…粘着テープ（結合手段）、１１…照明器具本体、１２…側壁、１３…端壁、１４…閉鎖壁、２１…反射笠、２２…反射天板部、２３…反射側板部、３１…第１包装部、３２…第２包装部、３３…第３包装部、３４…第４包装部、３４ａ…斜状の第１の辺、３４ｂ…第２の辺、３３ｃ…側壁に添設する第３の辺、３５…第５包装部
【図１】
2006044773.tif 000003
【図２】
2006044773.tif 000004
【図３】
2006044773.tif 000005
【図４】
2006044773.tif 000006
【図５】
2006044773.tif 000007
【図６】
2006044773.tif 000008
【図７】
2006044773.tif 000009
【図８】
2006044773.tif 000010
【図９】
2006044773.tif 000011
【図１０】
2006044773.tif 000012
【図１１】
2006044773.tif 000013
【図１２】
2006044773.tif 000014
【図１３】
2006044773.tif 000015
【図１４】
2006044773.tif 000016
【図１５】
2006044773.tif 000017
【図１６】
2006044773.tif 000018